(57)【特許請求の範囲】
【請求項１】
ファン（１５）と、
前記ファンの周囲を覆うベルマウス（７２）と、
空気流れが上方に向かうように前記ファンおよび前記ベルマウスを内部に収容するケーシング（４０）と、
を備え、
前記ケーシングは、前記ベルマウスより下流側の空気流路を形成する面を含む側板（８０、８５）を有しており、
前記側板は、前記ベルマウスの上端縁部と対向する第１側面部分（８１、８６、２８１）と、前記第１側面部分よりも下方の第２側面部分（８２、８７、２８２）と、を有しており、
前記第１側面部分と前記ベルマウスの上端縁部との平面視における隙間（Ａ）は、前記第２側面部分と前記ベルマウスの上端縁部との平面視における隙間（Ｂ）よりも小さく、
前記側板は、上端において上方ほど前記ファンの回転軸（７５）から離れるように傾斜した傾斜面（８３、８８、２８３）と、前記第１側面部分から前記傾斜面の下端に到るまで鉛直方向に延びた鉛直部分（８１、８６、２８１）と、を有している、
冷凍装置（１）の室外ユニット（２）。
【請求項２】
ファン（１５）と、
前記ファンの周囲を覆うベルマウス（７２）と、
空気流れが上方に向かうように前記ファンおよび前記ベルマウスを内部に収容するケーシング（４０）と、
を備え、
前記ケーシングは、前記ベルマウスより下流側の空気流路を形成する面を含む側板（８０、８５）を有しており、
前記側板は、前記ベルマウスの上端縁部と対向する第１側面部分（８１、８６、２８１）と、前記第１側面部分の下につながっている第２側面部分（８２、８７、２８２）と、を有しており、
前記第１側面部分と前記ベルマウスの上端縁部との平面視における隙間（Ａ）は、前記第２側面部分と前記ベルマウスの上端縁部との平面視における隙間（Ｂ）よりも小さく、
前記ケーシングの上端よりも下方で前記ベルマウスの上端よりも上方であって平面視における前記ベルマウスの上端よりも外側に設けられており、上方に向かうほど前記ファンの回転軸から離れるように傾斜したディフューザ面（９１、９６）をさらに備え、
平面視において、前記第１側面部分と前記ディフューザ面とは異なる位置に設けられている、
冷凍装置（１）の室外ユニット（２）。
【請求項３】
ファン（１５）と、
前記ファンの周囲を覆うベルマウス（７２）（但し、空気流れの下流側端部が拡大しているものを除く。）と、
空気流れが上方に向かうように前記ファンおよび前記ベルマウスを内部に収容するケーシング（４０）と、
を備え、
前記ケーシングは、前記ベルマウスの上端縁部と対向しており前記ベルマウスよりも下流側の空気流路を形成する第１側面部分（８１、８６、２８１）と、前記第１側面部分よりも下方の第２側面部分（８２、８７、２８２）と、を有しており、
前記第１側面部分と前記ベルマウスの上端縁部との平面視における隙間（Ａ）は、前記第２側面部分と前記ベルマウスの上端縁部との平面視における隙間（Ｂ）よりも小さい、
冷凍装置（１）の室外ユニット（２）。
【請求項４】
前記ファンの下方に設けられた熱交換器（１１）をさらに備え、
前記第２側面部分は、平面視において、前記熱交換器の外側に設けられている、
請求項１から３のいずれか１項に記載の冷凍装置の室外ユニット。
【請求項５】
前記ケーシングは、上端であって平面視における周縁部に設けられており、平坦に広がった載置面（８４、８９、９４、９９）を有している、
請求項１から４のいずれか１項に記載の冷凍装置の室外ユニット。
【発明の詳細な説明】
【技術分野】
【０００１】
本発明は、冷凍装置の室外ユニットに関する。
【背景技術】
【０００２】
従来より、ケーシングの内部にファンとベルマウスを配置した上吹きタイプの室外ユニットが提案されている。
【０００３】
例えば、特許文献１に記載の室外ユニットでは、ケーシング内部のうち上方の空間に配置されたベルマウスを、複数の側板によって周囲から覆うように構成したものが示されている。
【発明の開示】
【発明が解決しようとする課題】
【０００４】
ここで、上記特許文献１に記載の上吹きタイプの室外ユニットでは、ベルマウスの周囲に設けられた複数の側板は、いずれも凹凸が無く、鉛直方向に広がった平面形状となっている。このため、平面視において、ベルマウスの上端と側板との間には、大きな隙間が存在している。
【０００５】
このように、ベルマウスの上端と側板との間に大きな隙間が存在している場合には、ベルマウスを上方に向けて通過した空気流れが、当該隙間において空気渦を生じさせてしまい、吹き出し風量を十分に増大させることができないおそれがある。
【０００６】
本発明は、上述した点に鑑みてなされたものであり、ベルマウスの周囲に側板が設けられている構造において風量を増大させることが可能な冷凍装置の室外ユニットを提供することにある。
【課題を解決するための手段】
【０００７】
第１観点に係る冷凍装置の室外ユニットは、ファンと、ベルマウスと、ケーシングと、を備えている。ベルマウスは、ファンの周囲を覆っている。ケーシングは、空気流れが上方に向かうようにファンおよびベルマウスを内部に収容している。ケーシングは、ベルマウスより下流側の空気流路を形成する面を含む側板を有している。側板は、第１側面部分と、第２側面部分と、を有している。第１側面部分は、ベルマウスの上端縁部と対向している。第２側面部分は、第１側面部分よりも下方に設けられている。第１側面部分とベルマウスの上端縁部との平面視における隙間は、第２側面部分とベルマウスの上端縁部との平面視における隙間よりも小さい。側板は、傾斜面と鉛直部分を有している。傾斜面は、側板の上端において、上方ほどファンの回転軸から離れるように傾斜している。鉛直部分は、第１側面部分から傾斜面の下端に到るまで鉛直方向に延びた部分である。
【０００８】
この冷凍装置の室外ユニットでは、第１側面部分とベルマウスの上端縁部との平面視における隙間が、第２側面部分とベルマウスの上端縁部との平面視における隙間よりも小さくなるように構成されている。このため、空気流れ方向におけるベルマウス通過直後におけるベルマウスと側板との平面視における隙間を小さくすることができているため、空気流れのベルマウス通過直後における空気渦の発生を抑え、風量を増大させることが可能になる。
【０００９】
また、この冷凍装置の室外ユニットでは、ベルマウスを通過した空気流れが、ケーシング外部まで流れ出てしまう前に、傾斜面によって下流側ほど流路が拡大していく部分を流すことができる。これにより、ディフューザ効果を得ることが可能になる。
【００１０】
なお、例えば、ケーシングの上端出口に網（例えば、金網）を設けている場合には、当該網に空気流れが当たる際の圧力損失を低減させる効果が得られる。
【００１１】
また、この冷凍装置の室外ユニットでは、ベルマウスを通過した後の空気流れを、傾斜面にまで送る前の段階で、側板によって形成された鉛直部分を流すことが可能になる。これにより、空気の流路において鉛直部分を確保することが可能になるため、風量をより増大させることが可能になる。
【００１２】
第２観点に係る冷凍装置の室外ユニットは、ファンと、ベルマウスと、ケーシングと、ディフューザ面と、を備えている。ベルマウスは、ファンの周囲を覆っている。ケーシングは、空気流れが上方に向かうようにファンおよびベルマウスを内部に収容している。ケーシングは、ベルマウスより下流側の空気流路を形成する面を含む側板を有している。側板は、第１側面部分と、第２側面部分と、を有している。第１側面部分は、ベルマウスの上端縁部と対向している。第２側面部分は、第１側面部分の下につながっている。第１側面部分とベルマウスの上端縁部との平面視における隙間は、第２側面部分とベルマウスの上端縁部との平面視における隙間よりも小さい。ディフューザ面は、ケーシングの上端よりも下方で、ベルマウスの上端よりも上方であって、平面視におけるベルマウスの上端よりも外側に設けられている。ディフューザ面は、上方に向かうほどファンの回転軸から離れるように傾斜している。平面視において、第１側面部分とディフューザ面とは異なる位置に設けられている。
【００１３】
この冷凍装置の室外ユニットでは、第１側面部分とベルマウスの上端縁部との平面視における隙間が、第２側面部分とベルマウスの上端縁部との平面視における隙間よりも小さくなるように構成されている。このため、空気流れ方向におけるベルマウス通過直後におけるベルマウスと側板との平面視における隙間を小さくすることができているため、空気流れのベルマウス通過直後における空気渦の発生を抑え、風量を増大させることが可能になる。
【００１４】
また、この冷凍装置の室外ユニットでは、ベルマウスを通過した空気流れが、ケーシング外部まで流れ出てしまう前に、ディフューザ面によって形成された下流側ほど流路が拡大していく部分を流すことができる。これにより、ディフューザ効果を得ることが可能になる。
【００１５】
第３観点に係る冷凍装置の室外ユニットは、ファンと、ベルマウスと、ケーシングと、を備えている。ベルマウスは、ファンの周囲を覆っている（但し、空気流れの下流側端部が拡大しているものを除く。）。ケーシングは、空気流れが上方に向かうようにファンおよびベルマウスを内部に収容している。ケーシングは、第１側面部分と、第２側面部分と、を有している。第１側面部分は、ベルマウスの上端縁部と対向しており、ベルマウスよりも下流側の空気流路を形成する。第２側面部分は、第１側面部分よりも下方に設けられている。第１側面部分とベルマウスの上端縁部との平面視における隙間は、第２側面部分とベルマウスの上端縁部との平面視における隙間よりも小さい。
【００１６】
この冷凍装置の室外ユニットでは、第１側面部分とベルマウスの上端縁部との平面視における隙間が、第２側面部分とベルマウスの上端縁部との平面視における隙間よりも小さくなるように構成されている。このため、空気流れ方向におけるベルマウス通過直後におけるベルマウスと側板との平面視における隙間を小さくすることができているため、空気流れのベルマウス通過直後における空気渦の発生を抑え、風量を増大させることが可能になる。
【００１７】
第４観点に係る冷凍装置の室外ユニットは、第１観点から第３観点のいずれかに係る冷凍装置の室外ユニットであって、熱交換器をさらに備えている。熱交換器は、ファンの下方に設けられている。第２側面部分は、平面視において、熱交換器の外側に設けられている。
【００１８】
この冷凍装置の室外ユニットでは、ファンの下方に設けられた熱交換器が、平面視においてファンより外側に位置している場合において、平面視における熱交換器の外側に側板の第２側面部分を設けている場合であっても、側板の第１側面部分によって流路を狭めることで、空気流れ方向におけるベルマウス通過直後におけるベルマウスと側板との平面視における隙間を小さくすることができている。このため、平面視においてファンよりも外側に熱交換器が位置している場合であっても、空気流れのベルマウス通過直後における空気渦の発生を抑え、風量を増大させることが可能になる。
【００１９】
第５観点に係る冷凍装置の室外ユニットは、第１観点から第４観点のいずれかに係る冷凍装置の室外ユニットであって、ケーシングは、載置面を有している。載置面は、ケーシングの上端であって、平面視における周縁部に設けられている。載置面は、平坦に広がっている。
【００２０】
この冷凍装置の室外ユニットでは、ケーシングの上端において、空気流れの妨げとならない周縁部に載置面が設けられている。これにより、複数の室外ユニットを縦に積載して安定的に配置することができ、保管場所の確保が容易になる。
【発明の効果】
【００２１】
第１観点に係る冷凍装置の室外ユニットでは、空気流れのベルマウス通過直後における空気渦の発生を抑え、風量を増大させることが可能になり、ディフューザ効果を得ることが可能になり、空気の流路において鉛直部分を確保することが可能になるため、風量をより増大させることが可能になる。
【００２２】
第２観点に係る冷凍装置の室外ユニットでは、空気流れのベルマウス通過直後における空気渦の発生を抑え、風量を増大させることが可能になり、ディフューザ効果を得ることが可能になる。
【００２３】
第３観点に係る冷凍装置の室外ユニットでは、空気流れのベルマウス通過直後における空気渦の発生を抑え、風量を増大させることが可能になる。
【００２４】
第４観点に係る冷凍装置の室外ユニットでは、平面視においてファンよりも外側に熱交換器が位置している場合であっても、空気流れのベルマウス通過直後における空気渦の発生を抑え、風量を増大させることが可能になる。
【００２５】
第５観点に係る冷凍装置の室外ユニットでは、複数の室外ユニットを縦に積載して安定的に配置することができ、保管場所の確保が容易になる。
【図面の簡単な説明】
【００２６】
【図１】本発明の一実施形態に係る室外ユニットが採用された空気調和装置の概略構成図である。
【図２】室外ユニットの外観斜視図である。
【図３】室外ユニットのケーシング、室外熱交換器およびファンモジュールの分解斜視図である。
【図４】室外熱交換器と室外ファンとケーシングとの位置関係を示す平面図である。
【図５】ケーシングの上方部分とファンモジュールを右上方から見た外観概略斜視図（吹出グリルを除いた状態）である。
【図６】ケーシングの上方部分とファンモジュールを上方から見た外観概略平面図（吹出グリルを除いた状態）である。
【図７】ケーシングの上方近傍とファンモジュールを右斜め前方から見た外観概略斜視図（吹出グリルおよび前側送風側板を除いた状態）である。
【図８】ケーシングの上方近傍とファンモジュールを右斜め前方から見た外観概略斜視図（吹出グリル、前側送風側板、後側送風側板、右側送風側板を除いた状態）である。
【図９】右側送風側板の概略外観斜視図である。
【図１０】室外ファンの回転軸を含む前後断面における配置関係を示す図である。
【図１１】変形例Ｂに係るケーシングと室外ファンとベルマウスの配置関係を示す平面図である。
【図１２】変形例Ｂに係る側板の正面図である。
【発明を実施するための形態】
【００２７】
以下、冷凍装置の室外ユニットの実施形態およびその変形例について、図面に基づいて説明する。なお、冷凍装置の室外ユニットの具体的な構成は、下記の実施形態およびその変形例に限られるものではなく、発明の要旨を逸脱しない範囲で変更可能である。
【００２８】
（１）空気調和装置の構成
図１は、一実施形態に係る室外ユニット２が採用された空気調和装置１の概略構成図である。
【００２９】
空気調和装置１は、蒸気圧縮式の冷凍サイクルを行うことによって、建物等の室内の冷房や暖房を行うことが可能な装置である。空気調和装置１は、主として、室外ユニット２と、室内ユニット３ａ、３ｂとが接続されることによって構成されている。ここで、室外ユニット２と室内ユニット３ａ、３ｂとは、液冷媒連絡管４およびガス冷媒連絡管５を介して接続されている。すなわち、空気調和装置１の蒸気圧縮式の冷媒回路６は、室外ユニット２と、室内ユニット３ａ、３ｂとが冷媒連絡管４、５を介して接続されることによって構成されている。
【００３０】
室外ユニット２は、室外（建物の屋上や建物の壁面近傍等）に設置されており、冷媒回路６の一部を構成している。室外ユニット２は、主として、アキュムレータ７、圧縮機８と、油分離器９と、四路切換弁１０と、室外熱交換器１１と、室外膨張弁１２と、液側閉鎖弁１３と、ガス側閉鎖弁１４と、室外ファン１５と、を有している。各機器および弁間は、冷媒管１６〜２４によって接続されている。
【００３１】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、室内膨張弁３１ｂと、室内熱交換器３２ｂと、室内ファン３３ｂと、を有している。
【００３２】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室外ユニット２のガス側閉鎖弁１４に接続され、ガス冷媒連絡管５の他端は、室内ユニット３ａ、３ｂの室内熱交換器３２ａ、３２ｂのガス側端に接続されている。
【００３３】
（２）室外ユニットの全体構成
図２は、室外ユニット２の外観斜視図である。図３は、室外ユニット２のケーシング４０、室外熱交換器１１およびファンモジュール７１の分解斜視図である。
【００３４】
なお、以下の説明において、「上」、「下」、「左」、「右」、「前」、「後」、「前面」、「背面」は、特にことわりのない限り、図２に示される室外ユニット２を前方（図面の左斜前側）から見た場合の方向を意味している。
【００３５】
室外ユニット２は、下方からケーシング４０内に空気を取り込んで上方からケーシング４０外に空気を吹き出す上吹き型構造と呼ばれるものである。室外ユニット２は、主として、略直方体箱状のケーシング４０と、ファンモジュール７１と、吹出グリル７３と、冷媒回路６の一部を構成する冷媒回路構成部品と、を有している。この室外ユニット２が有する冷媒回路構成部品としては、圧縮機８、室外熱交換器１１、アキュムレータ７、油分離器９、四路切換弁１０、室外膨張弁１２、液側閉鎖弁１３、ガス側閉鎖弁１４、および、冷媒管１６〜２４等がある。
【００３６】
ケーシング４０は、主として、左右方向に延びる一対の据付脚４１上に架け渡される底フレーム５１と、底フレーム５１の角部から鉛直方向に延びる支柱６１と、前面パネル６５と、ファンモジュール７１の周囲を覆う前側送風側板８０、後側送風側板８５、右側送風側板９０および左側送風側板９５と、を有している。
【００３７】
底フレーム５１は、ケーシング４０の底面を形成しており、底フレーム５１上には、室外熱交換器１１が設けられている。なお、本実施形態では、底フレーム５１は、左側の第１底フレーム５１ａと右側の第２底フレーム５１ｂとが合わさることで構成されている。ここで、室外熱交換器１１は、ケーシング４０の背面および左右両側面に面する平面視略Ｕ字形状の熱交換器であり、ケーシング４０の背面および左右両側面を実質的に形成している。この室外熱交換器１１は、底フレーム５１の左側縁部、後側縁部、右側縁部の上に沿うように配置されている。
【００３８】
前面パネル６５は、ファンモジュール７１の下方において、前面側の支柱６１間に架け渡されており、ケーシング４０の前面を形成している。
【００３９】
ケーシング４０内には、室外ファン１５および室外熱交換器１１以外の冷媒回路構成部品も収容されている。ここで、圧縮機８は、冷媒を圧縮する機器であり、底フレーム５１上に設けられている。また、アキュムレータ７は、圧縮機８に吸入される前の冷媒を一時的に溜める冷媒容器であり、底フレーム５１上に設けられている。油分離器９は、圧縮機８から吐出された後の冷媒から冷凍機油を分離する機器であり、底フレーム５１上に設けられている。
【００４０】
ファンモジュール７１は、室外熱交換器１１の上側に設けられており、ベルマウス７２と、室外ファン１５と、を有している。ベルマウス７２は、４つの支柱６１の上端に取り付けられている。ベルマウス７２の下方部分は、底フレーム５１と同様に平面視において矩形の形状となっており、ベルマウス７２の上方部分は軸方向を鉛直方向とする円筒形状となっている。ベルマウス７２の上方部分の円筒形状は、平面視において、下方部分の矩形の形状の内側に位置している。このベルマウス７２の上方部分の円筒形状の部分は、室外ファン１５を周囲から覆っており、空気流れの流路の一部を構成している。ベルマウス７２の下方部分の矩形の形状と上方部分の円筒形状とは、曲面を介してなだらかに繋がっている。室外ファン１５は、ベルマウス７２のうちの上方部分である円筒形状の内側に、回転軸７５の延びる方向が鉛直方向となる姿勢で配置されている。室外ファン１５は、図示しないファンモータと接続されており、駆動制御される。
【００４１】
このファンモジュール７１は、前側が前側送風側板８０によって覆われ、後側が後側送風側板８５によって覆われ、右側が右側送風側板９０によって覆われ、左側が左側送風側板９５によって覆われている。これらの前側送風側板８０、後側送風側板８５、右側送風側板９０および左側送風側板９５は、上面および下面が開口した略直方体形状の箱体を構成しており、ベルマウス７２や室外ファン１５を内部に収容している。
【００４２】
前側送風側板８０、後側送風側板８５、右側送風側板９０および左側送風側板９５は、いずれも支柱６１に固定されており、ケーシング４０における支柱６１の上方部分を構成している。また、前側送風側板８０、後側送風側板８５、右側送風側板９０、左側送風側板９５同士は、前後左右の端部近傍において螺合固定されている。
【００４３】
なお、ファンモジュール７１の上方部分（ケーシング４０の上方部分）では、主として、右側送風側板９０の一部である右側ディフューザ面９１と左側送風側板９５の一部である左側ディフューザ面９６によって、補助的に、前側送風側板８０の一部である前側傾斜面８３と後側送風側板８５の一部である後側傾斜面８８によって、ディフューザが構成されている。
【００４４】
また、ケーシング４０の上方の出口（ディフューザの上方）には、平面上に広がった吹出グリル７３が設けられている。吹出グリル７３は、特に限定されないが、本実施形態では金属製の金網が用いられている。
【００４５】
（３）室外ユニットのケーシングの上方部分の構造
図４は、室外熱交換器１１と室外ファン１５とケーシング４０との位置関係を示す平面図である。図５は、ケーシング４０の上方部分とファンモジュール７１を右上方から見た外観概略斜視図（吹出グリル７３を除いた状態）である。図６は、ケーシング４０の上方部分とファンモジュール７１を上方から見た外観概略平面図（吹出グリル７３を除いた状態）である。図７は、ケーシング４０の上方近傍とファンモジュール７１を右斜め前方から見た外観概略斜視図（吹出グリル７３および前側送風側板８０を除いた状態）である。図８は、ケーシング４０の上方近傍とファンモジュール７１を右斜め前方から見た外観概略斜視図（吹出グリル７３、前側送風側板８０、後側送風側板８５、右側送風側板９０を除いた状態）である。図９は、右側送風側板９０の概略外観斜視図である。図１０は、室外ファン１５の回転軸７５を含む前後断面における配置関係を示す図である。
【００４６】
上述のように、ベルマウス７２の前後左右は、前側送風側板８０、後側送風側板８５、右側送風側板９０、左側送風側板９５によって覆われている。前側送風側板８０、後側送風側板８５、右側送風側板９０、左側送風側板９５は、ベルマウス７２の上方部分の円筒形状の部分よりも上方（空気流れＦの下流側）において、空気流れを上方に導く流路を形成している。これらの前側送風側板８０、後側送風側板８５、右側送風側板９０、左側送風側板９５は、いずれも板金製の板状部材によって構成されている。
【００４７】
本実施形態においては、前側送風側板８０と後側送風側板８５とは、前後方向に対象的な形状を有しており、右側送風側板９０と左側送風側板９５とは、左右方向に対象的な形状を有している。
【００４８】
前側送風側板８０は、前側上面部分８１と、前側下面部分８２と、前側傾斜面８３と、前側載置面８４と、を有している。前側送風側板８０は、１枚の板状部材がプレス加工や折り曲げ加工等されることにより成形されている。前側上面部分８１は、図２、図４、図１０に示すように、ベルマウス７２の上方の円筒形状部分の上端縁部の前側およびその上下近傍を含む前側部分を覆うように、上下左右方向に広がった平面形状の部分である。前側上面部分８１の上方は、ケーシング４０の上端近傍まで広がっている。なお、前側上面部分８１の上端における左右方向の中央近傍は、前側上面部分８１の上端における左右方向の両端近傍と比べると、前側傾斜面８３の下端部分と連続させるために下方に位置している。前側上面部分８１は、前側上面部分８１の下端から、ベルマウス７２の上方の円筒形状部分の上端縁部の前側よりも上方の部分を介して、さらに上方の前側傾斜面８３の下端部分に到るまで、鉛直方向に延びつつ左右に広がった部分（鉛直部分）を有している。前側下面部分８２は、図２、図４、図１０に示すように、前側上面部分８１の下方に位置しており、ベルマウス７２の下方の矩形部分の前側を覆うように、上下左右方向に広がった平面形状の部分である。前側下面部分８２の下方は、支柱６１の上端まで広がっている。前側載置面８４は、図２、図５、図６、図１０に示すように、ケーシング４０の上端を構成しており、法線方向が鉛直方向となるように平坦状に広がった面である。前側載置面８４は、ケーシング４０の前側上端縁部を左右方向に延びて縁取るように設けられている。前側載置面８４の左右両端部分近傍の後側端部は、前側上面部分８１の上端と連続している。なお、前側載置面８４の後側端における左右方向の中央近傍は、後側端の左右方向の両端近傍と比べると、前側傾斜面８３の上端部分と連続させるために前側に位置している。前側傾斜面８３は、図２、図５、図６、図１０に示すように、前側載置面８４の後側の左右方向における中央部分と、前側上面部分８１の上端の左右方向における中央部分と、を繋ぐように設けられており、上方ほど室外ファン１５の回転軸７５から離れるように傾斜している。前側傾斜面８３は、長手方向が左右方向になるように、ケーシング４０の上方開口のうちの前側縁部に沿って設けられている。
【００４９】
後側送風側板８５は、後側上面部分８６と、後側下面部分８７と、後側傾斜面８８と、後側載置面８９と、を有している。後側送風側板８５は、前側送風側板８０と前後方向に対象的な形状を有しているため説明は省略する。なお、本実施形態では、前側送風側板８０および後側送風側板８５としては、共通の形状の部品を用いている。これにより、部品が複雑化することを防ぐことができている。
【００５０】
右側送風側板９０は、右側ディフューザ面９１と、右側鉛直曲面９２と、右側側面９３と、右側載置面９４と、を有している。右側送風側板９０は、１枚の板状部材がプレス加工や折り曲げ加工等されることにより成形されている。右側側面９３は、図４、図５、図７、図９に示すように、ケーシング４０の支柱６１や室外熱交換器１１の右側部分よりも上方の右側を覆う平面形状の面であり、ベルマウス７２の下端から上端よりもやや上方まで広がっている。右側載置面９４は、図５、図６、図７、図９に示すように、右側側面９３の上端から水平方向内側（水平方向左側）に向けて広がっており、法線方向が鉛直方向となるように平坦状に広がった面である。右側載置面９４は、ケーシング４０の右側上端縁部を前後方向に延びて縁取るように設けられている。右側ディフューザ面９１は、図５、図６、図７、図９に示すように、右側載置面９４の内側（左側）端部から左側に向かうほど下方に延びるように傾斜して設けられた傾斜面である。すなわち、右側ディフューザ面９１は、下方から上方に向かうほど室外ファン１５の回転軸７５から離れるように傾斜している。この右側ディフューザ面９１は、平面視において、ベルマウス７２の上端部分の右側縁部と、右側載置面９４との間を覆うように広がっており、下端（左側端部）は、ベルマウス７２の上端部分の右側縁部に沿うように円弧形状を形成している。右側ディフューザ面９１は、その大部分が吹出グリル７３よりも下方に位置している。右側ディフューザ面９１の下端は、前側送風側板８０の前側傾斜面８３の下端や、後側送風側板８５の後側傾斜面８８の下端よりもさらに下方まで延びている。右側鉛直曲面９２は、図６、図７、図９に示すように、右側ディフューザ面９１の下端（左側端部）の円弧形状部分から鉛直方向下方に向けて延びた曲面である。右側鉛直曲面９２の下端は、ベルマウス７２の上端の円弧部分の右側と左右方向において重なる位置まで下方に延びている。右側鉛直曲面９２の下端は、ベルマウス７２の上端の円弧部分の右側の縁部との間に数ミリの隙間を生じさせつつ、ベルマウス７２の上端の円弧部分の右側の縁部に沿うように延びている。
【００５１】
左側送風側板９５は、左側ディフューザ面９６と、左側鉛直曲面９７と、左側側面９８と、左側載置面９９と、を有している。左側送風側板９５は、右側送風側板９０と左右方向に対象的な形状を有しているため説明は省略する。この左側送風側板９５も、１枚の板状部材がプレス加工や折り曲げ加工等されることにより成形されている。なお、本実施形態では、右側送風側板９０および左側送風側板９５としては、共通の形状の部品を用いている。これにより、部品が複雑化することを防ぐことができている。
【００５２】
なお、前側送風側板８０と、後側送風側板８５と、右側送風側板９０と、左側送風側板９５と、は、いずれも別部材として構成されているが、図５、図６、図８に示すように、前側送風側板８０は、左側ディフューザ面９６の左前側近傍の下方に伸び出した図示しない固定片を有しており、左側ディフューザ面９６の左前側近傍において上下方向に延びる螺子６９によって、左側ディフューザ面９６に螺合固定されている。これにより、前側送風側板８０と左側送風側板９５とが固定されている。また、同様に、前側送風側板８０は、右側ディフューザ面９１の右前側近傍の下方に伸び出した図示しない固定片を有しており、右側ディフューザ面９１の右前側近傍において上下方向に延びる螺子６９によって、右側ディフューザ面９１に螺合固定されている。これにより、前側送風側板８０と右側送風側板９０とが固定されている。また、同様に、後側送風側板８５は、左側ディフューザ面９６の左後側近傍の下方に伸び出した図示しない固定片を有しており、左側ディフューザ面９６の左後側近傍において上下方向に延びる螺子６９によって、左側ディフューザ面９６に螺合固定されている。これにより、後側送風側板８５と左側送風側板９５とが固定されている。また、同様に、後側送風側板８５は、右側ディフューザ面９１の右後側近傍の下方に伸び出した図示しない固定片を有しており、右側ディフューザ面９１の右後側近傍において上下方向に延びる螺子６９によって、右側ディフューザ面９１に螺合固定されている。これにより、後側送風側板８５と右側送風側板９０とが固定されている。
【００５３】
（４）室外ユニットのケーシングの上方部分の配置関係
前側送風側板８０の前側下面部分８２と、後側送風側板８５の後側下面部分８７と、右側送風側板９０の右側側面９３と、左側送風側板９５の左側側面９８と、は、図４に示すように、平面視において、室外熱交換器１１よりも外側に位置している。
【００５４】
本実施形態では、室外熱交換器１１は、図４に示すように、平面視において、室外ファン１５やベルマウス７２の上端の円弧よりも外側に配置されている。
【００５５】
また、前側送風側板８０の前側上面部分８１は、図４、図１０に示すように、前側送風側板８０の前側下面部分８２よりも内側（後側）に位置している。すなわち、図１０に示すように、前側送風側板８０の前側上面部分８１とベルマウス７２の上前側端部との前後方向の距離Ａ（前後方向の最短距離）は、前側送風側板８０の前側下面部分８２とベルマウス７２の上前側端部との前後方向の距離Ｂ（前後方向の最短距離）よりも短くなるように構成されている。このように、前側送風側板８０は、前側下面部分８２よりも前側上面部分８１が後側に位置していることで、ベルマウス７２の上端の前側部分に近づくように後側に向けて凹んだ形状を有している。
【００５６】
また、後側送風側板８５の後側上面部分８６も同様に、図４、図１０に示すように、後側送風側板８５の後側下面部分８７よりも内側（前側）に位置している。すなわち、図１０に示すように、後側送風側板８５の後側上面部分８６とベルマウス７２の上後側端部との前後方向の距離は、後側送風側板８５の後側下面部分８７とベルマウス７２の上後側端部との前後方向の距離よりも短くなるように構成されている。
【００５７】
このように、後側送風側板８５は、後側下面部分８７よりも後側上面部分８６が前側に位置していることで、ベルマウス７２の上端の後側部分に近づくように前側に向けて凹んだ形状を有している。
【００５８】
また、前側送風側板８０の前側傾斜面８３と、後側送風側板８５の後側傾斜面８８と、右側送風側板９０の右側ディフューザ面９１と、左側送風側板９５の左側ディフューザ面９６とは、平面視において重ならない位置（異なる位置）に設けられており、平面視においてベルマウス７２の上端の円よりも外側を囲うように配置されている。
【００５９】
なお、前側送風側板８０の前側載置面８４と、後側送風側板８５の後側載置面８９と、右側送風側板９０の右側載置面９４と、左側送風側板９５の左側載置面９９とは、いずれもケーシング４０の上端縁部を構成しており、同一高さ位置において水平面上に広がるように設けられている。
【００６０】
（５）特徴
（５−１）
仮に、前側送風側板８０における前側上面部分８１や後側送風側板８５における後側上面部分８６を設けることなく、ベルマウス７２の上端の円筒形状部分の流路から流出した空気流れが、急拡大した流路に導かれる場合には、ベルマウス７２の出口の空気流れ方向の下流側であってベルマウス７２の前後付近において空気渦が発生してしまうおそれがある。
【００６１】
これに対して、本実施形態に係る空気調和装置１の室外ユニット２では、ケーシング４０のうち、ベルマウス７２の周囲を覆っている部分のうち、前側の前側送風側板８０においては、前側下面部分８２の面をそのまま上方に向けて広げるのではなく、前側下面部分８２よりも後方であってよりベルマウス７２の上端部分の前側端部に近い位置に沿わせることができるように、前側上面部分８１を設けている。また、後側の後側送風側板８５においても同様に、後側下面部分８７の面をそのまま上方に向けて広げるのではなく、後側下面部分８７よりも前方であってよりベルマウス７２の上端部分の後側端部に近い位置に沿わせることができるように、後側上面部分８６を設けている。
【００６２】
これにより、ベルマウス７２の下流側における空気渦の発生を抑えることが可能になり、室外ファン１５によって形成される風量の低減を抑え、風量の増大を図ることが可能になっている。
【００６３】
（５−２）
また、本実施形態に係る空気調和装置１の室外ユニット２では、前側送風側板８０の上端近傍において、空気流れの下流側ほど前側に位置するように（上方ほど室外ファン１５の回転軸７５から離れるように）傾斜した前側傾斜面８３が設けられており、後側送風側板８５の上端近傍においても同様に、空気流れの下流側ほど後側に位置するように（上方ほど室外ファン１５の回転軸７５から離れるように）傾斜した後側傾斜面８８が設けられている。これにより、ベルマウス７２を通過した空気流れがケーシング４０の上端から外部に導かれる前に、空気流れの流路をなだらかに拡大させることが可能になっている。これにより、ディフューザ効果を得ることが可能になっている。
【００６４】
特に、右側送風側板９０には空気流れの下流側ほど右側に位置するように（上方ほど室外ファン１５の回転軸７５から離れるように）傾斜した右側ディフューザ面９１が設けられており、左側送風側板９５においても同様に、空気流れの下流側ほど左側に位置するように（上方ほど室外ファン１５の回転軸７５から離れるように）傾斜した左側ディフューザ面９６が設けられている。これにより、ベルマウス７２を通過した空気流れがケーシング４０の上端から外部に導かれる前に、空気流れの流路をよりなだらかに拡大させることが可能になっている。これにより、より十分なディフューザ効果を得ることが可能になっている。特に、右側ディフューザ面９１と左側ディフューザ面９６は、その大部分が吹出グリル７３よりも下方に位置しているため、ベルマウス７２を通過した空気流れが吹出グリル７３に到達するまでに、空気流れの流速を効果的に落とすことができている。このため、空気流れが吹出グリル７３に衝突することによる圧力損失を低減し、室外ファン１５によって形成される風量の低減を抑え、風量を増大させることが可能になっている。
【００６５】
（５−３）
さらに、本実施形態に係る空気調和装置１の室外ユニット２では、前側送風側板８０の前側上面部分８１が、ベルマウス７２より空気流れ下流側の部分においても鉛直方向に広がっており、後側送風側板８５の後側上面部分８６についても同様に、ベルマウス７２より空気流れ下流側の部分においても鉛直方向に広がっている。このため、ベルマウス７２を通過した後の空気流れを、前側傾斜面８３や後側傾斜面８８にまで送る前の段階で、鉛直方向に直進させるように流すことが可能になる。
【００６６】
また、右側送風側板９０の右側鉛直曲面９２も、ベルマウス７２より空気流れ下流側の部分においても鉛直方向に広がっており、左側送風側板９５の左側鉛直曲面９７も、ベルマウス７２より空気流れ下流側の部分においても鉛直方向に広がっている。このため、ベルマウス７２を通過した後の空気流れを、右側ディフューザ面９１や左側ディフューザ面９６にまで送る前の段階で、鉛直方向に直進させるように流すことが可能になる。
【００６７】
これらによって、ベルマウス７２を通過した空気の流路において、鉛直部分を長く確保することができているため、室外ファン１５による風量の低減を抑え、風量をより増大させることが可能になっている。
【００６８】
（５−４）
また、本実施形態に係る空気調和装置１の室外ユニット２では、平面視において、室外ファン１５やベルマウス７２の上端の円弧よりも外側に室外熱交換器１１が配置されており、この室外熱交換器１１よりもさらに外側には、鉛直方向に延びた支柱６１が配置されている。そして、ベルマウス７２の下端の矩形部分は支柱６１の上端に固定されている。このため、ベルマウス７２の下端の矩形部分の前後方向の大きさが、室外ファン１５やベルマウス７２の上端の円弧よりも大きくなっている。
【００６９】
このように、ベルマウス７２の下端の矩形部分の前後方向の大きさが室外ファン１５やベルマウス７２の上端の円弧よりも大きくなっている場合であっても、上記実施形態の室外ユニット２では、前側送風側板８０の下方における前側下面部分８２をそのまま上方に広げるのではなく、よりベルマウス７２の上端の円弧部分に近づけた前側上面部分８１を採用しており、後側送風側板８５の下方における後側下面部分８７をそのまま上方に広げるのではなく、よりベルマウス７２の上端の円弧部分に近づけた後側上面部分８６を採用している。このため、平面視において、室外ファン１５やベルマウス７２の上端の円弧よりも外側に室外熱交換器１１が配置されている場合であっても、ベルマウス７２の下流側における空気渦の発生を抑えて、風量の低減を抑え、風量の増大を図ることが可能になっている。
【００７０】
（５−５）
また、本実施形態に係る空気調和装置１の室外ユニット２では、前側送風側板８０の前側載置面８４と、後側送風側板８５の後側載置面８９と、右側送風側板９０の右側載置面９４と、左側送風側板９５の左側載置面９９とが、いずれもケーシング４０の上端縁部を構成しており、同一高さ位置において水平面上に広がるように設けられている。
【００７１】
このため、複数台の室外ユニット２を倉庫等において保管する際に、室外ユニット２を縦に積載させて、安定的に段積み配置させることが可能になっており、保管スペースの面積を小さくすることが可能になっている。
【００７２】
（６）変形例
上記実施形態は、以下の変形例に示すように適宜変形が可能である。なお、各変形例は、矛盾が生じない範囲で他の変形例と組み合わせて適用されてもよい。
【００７３】
（６−１）変形例Ａ
上記実施形態では、第１側面部分および第２側面部分を有する側板の例として、前側上面部分８１および前側下面部分８２を有する前側送風側板８０や、後側上面部分８６および後側下面部分８７を有する後側送風側板８５を例に挙げて説明した。
【００７４】
しかし、第１側面部分および第２側面部分を有する側板がケーシング４０の前側と後側のみに採用されるものに限られず、第１側面部分および第２側面部分を有する側板が前側、後側、左側、右側の全てに採用されるようにしてもよい。
【００７５】
すなわち、上記実施形態において、ディフューザ面等が設けられた右側送風側板９０と左側送風側板９５についても、上記実施形態の前側送風側板８０や後側送風側板８５と同様に、鉛直方向に広がった第１側面部分および第２側面部分を有するように構成されていてもよい。この場合であっても、ベルマウス７２の下流側における空気渦の発生を抑制させることが可能である。
【００７６】
（６−２）変形例Ｂ
上記実施形態では、側板の第１側面部分および第２側面部分の例として、鉛直方向に広がった平坦面である前側上面部分８１、前側下面部分８２、後側上面部分８６、後側下面部分８７をそれぞれ例に挙げて説明した。
【００７７】
しかし、側板の第１側面部分および第２側面部分の例としては、これに限定されるものではなく、例えば、図１１、図１２に示すように、板金等をプレス加工等することで形成される共通送風側板２８０を４つ組み合わせて用いるようにしてもよい。
【００７８】
この共通送風側板２８０は、ベルマウス７２の周囲を囲うことができるように、それぞれ第１対向面２８５と第２対向面２８６とを有している。すなわち、ある共通送風側板２８０の第１対向面２８５は、隣り合う共通送風側板２８０の第２対向面２８６と対面するように配置される。また、共通送風側板２８０は、ベルマウス７２の上方の円筒形状部分の周囲の曲面に沿うように鉛直方向に延びた円筒周面部分２８１を有している。この円筒周面部分２８１の上端は、ベルマウス７２の上端よりもさらに上方に位置している。また、共通送風側板２８０は、円筒周面部分２８１の上方において、上方ほど室外ファン１５の回転軸７５から離れるように傾斜した上側傾斜面２８３を有している。そして、共通送風側板２８０は、円筒周面部分２８１の下方において、下方ほど室外ファン１５の回転軸７５から離れるように傾斜した下側傾斜面２８２を有している。
【００７９】
このような共通送風側板２８０であっても、下側傾斜面２８２よりも円筒周面部分２８１のほうがベルマウス７２の上端の円弧部分に近づくように構成されているため、上記実施形態と同様に、ベルマウス７２の下流側における空気渦を抑制させることが可能になる。
【００８０】
（６−３）変形例Ｃ
上記実施形態では、平面視において、前側送風側板８０と後側送風側板８５の左右方向の長さが、右側送風側板９０と左側送風側板９５の前後方向の長さよりも長い場合を例に挙げて説明した。
【００８１】
しかし、特にこれに限定されるものではなく、前側送風側板８０と後側送風側板８５の左右方向の長さと、右側送風側板９０と左側送風側板９５の前後方向の長さと、を同じにしてもよいし、前側送風側板８０と後側送風側板８５の左右方向の長さが、右側送風側板９０と左側送風側板９５の前後方向の長さよりも短くなるようにしてもよい。
【産業上の利用可能性】
【００８２】
本発明は、ファンとベルマウスをケーシング内に収容している冷凍装置の室外ユニットに利用可能である。
【符号の説明】
【００８３】
１    空気調和装置（冷凍装置）
２    室外ユニット
７    アキュムレータ
８    圧縮機
９    油分離器
１１  室外熱交換器（熱交換器）
１５  室外ファン（ファン）
４０  ケーシング
５１  底フレーム
７２  ベルマウス
７５  回転軸
８０  前側送風側板（側板）
８１  前側上面部分（第１側面部分、鉛直部分）
８２  前側下面部分（第２側面部分）
８３  前側傾斜面（傾斜面）
８４  前側載置面（載置面）
８５  後側送風側板（側板）
８６  後側上面部分（第１側面部分、鉛直部分）
８７  後側下面部分（第２側面部分）
８８  後側傾斜面（傾斜面）
８９  後側載置面（載置面）
９０  右側送風側板
９１  右側ディフューザ面
９４  右側載置面（載置面）
９５  左側送風側板
９６  左側ディフューザ面
９９  左側載置面（載置面）
２０２  室外ユニット
２８０  共通送風側板（側板）
２８１  円筒周面部分（第１側面部分、鉛直部分）
２８２  下側傾斜面（第２側面部分）
２８３  上側傾斜面（傾斜面）
２８５  第１対向面
２８６  第２対向面
【先行技術文献】
【特許文献】
【００８４】
【特許文献１】特開２０１４−１９４３２２号公報
【図１】
0006365582.tif 000002
【図２】
0006365582.tif 000003
【図３】
0006365582.tif 000004
【図４】
0006365582.tif 000005
【図５】
0006365582.tif 000006
【図６】
0006365582.tif 000007
【図７】
0006365582.tif 000008
【図８】
0006365582.tif 000009
【図９】
0006365582.tif 000010
【図１０】
0006365582.tif 000011
【図１１】
0006365582.tif 000012
【図１２】
0006365582.tif 000013